(57)【要約】【課題】元整理作業における施工性及び施工精度の向上を図る。【解決手段】元整理用シール栓装置において、分岐導管２に沿って挿入され分岐開口１ａを封止するシール栓体１０を備え、シール栓体１０は、第１のストッパ手段として、分岐継手１内の間隙Ｇに係止される薄板状の係止部材１８を備えると共に、第２のストッパ手段として、シール栓体１０の先端側から突出して、分岐継手内１の底面１ｂに先端が当接する当接棒１９を備える。【選択図】        図３
2004316734.tif 000002
【特許請求の範囲】
【請求項１】
分岐継手を介して分岐された導管の元整理作業に際して、前記分岐継手内の分岐開口を封止する元整理用シール栓装置において、
前記導管に沿って挿入され前記分岐開口を封止するシール栓体を備え、
該シール栓体は、その先端側と後端側のいずれか一方又は両方に、前記分岐継手内で機能して該シール栓体を前記分岐開口内の規定位置に止めるストッパ手段を備えることを特徴とする元整理用シール栓装置。
【請求項２】
前記ストッパ手段は、前記シール栓体の後端側で、前記導管軸と垂直な平面内を摺動自在に軸支され、前記導管内面に当接する方向に付勢されて、前記導管の前記分岐継手内の管端を通過した位置で突出して、前記分岐継手内の間隙に係止される薄板状の係止部材を備えることを特徴とする請求項１に記載された元整理用シール栓装置。
【請求項３】
前記ストッパ手段は、前記シール栓体の先端側から突出して、前記分岐継手内の底面に先端が当接することによって前記シール栓体を前記分岐開口内に止める当接棒を備えることを特徴とする請求項１又は２に記載された元整理用シール栓装置。
【請求項４】
前記シール栓体は、
前記分岐開口の内面に圧接される弾性部材からなる栓本体と、
該栓本体の先端側に設けられる支持板と、
該支持板に装着されて先端から後端に向けて前記栓本体を貫通してその後端側に突出する支持軸と、
前記栓本体の後端面に当接して前記支持軸に沿って摺動して前記支持板との間で前記栓本体を圧縮拡径する圧縮板と、
前記圧縮板を前記支持軸に沿って摺動させる圧縮具とを備えることを特徴とする請求項１〜３のいずれかに記載された元整理用シール栓装置。
【請求項５】
前記栓本体の側面は、前記圧縮拡径によって前記分岐開口の内面に圧接される円柱面と該円柱面から後方に向けて拡径されるテーパ面とを有することを特徴とする請求項４に記載された元整理用シール栓装置。
【請求項６】
前記シール栓体の先端側に、該シール栓体が前記分岐開口に止まった状態で前記分岐継手の拡径部に展開するロック手段を設けることを特徴とする請求項１〜５のいずれかに記載された元整理用シール栓装置。
【請求項７】
前記ロック手段は、前記シール栓体の先端側に軸支され、その先端が前記シール栓体の前側に倒れるように付勢された展開部材と、該展開部材を展開操作面に当接させて前記シール栓体側に摺動自在に設けられる展開操作盤とを備え、前記展開操作盤をシール栓体側に摺動させることによって、前記展開部材を展開操作することを特徴とする請求項６に記載された元整理用シール栓装置。
【請求項８】
前記圧縮具を圧縮操作すると共に前記シール栓体の後端側に接続されて該シール栓体を前記分岐開口内に押し込む圧縮操作挿入手段を更に備えることを特徴とする請求項４〜７のいずれかに記載された元整理用シール栓装置。
【請求項９】
前記圧縮操作挿入手段を、前記導管の中心軸に沿って挿入させると共に前記導管の開口端に支持するセンタリング支持手段を更に備えることを特徴とする請求項８に記載された元整理用シール栓装置。
【請求項１０】
分岐継手を介して分岐された導管の元整理作業に際して、前記分岐継手内の分岐開口を封止する元整理シール工法において、
前記分岐開口を封止するシール栓体の先端側と後端側のいずれか一方又は両方に、前記分岐継手内で機能して該シール栓体を前記分岐開口内の規定位置に止めるストッパ手段を備える元整理用シール栓装置を用い、
前記導管の開口端から前記シール栓体を挿入し、該シール栓体が前記分岐開口内で止まるまで前記シール栓体を押し込む工程を有することを特徴とする元整理シール工法。
【発明の詳細な説明】
【０００１】
【発明の属する技術分野】
本発明は、元整理用シール栓装置及びそれを用いた元整理シール工法に関するものである。
【０００２】
【従来の技術】
一般に、ガス配管は、道路下に配管された鋳鉄管（本管）から分岐継手を介して導管（本支管又は供給管）を分岐し、この導管を需要先へ向けて配管している。この分岐された導管は、需要先の事情等により不使用になる場合があり、また、本管の区画整理で分岐先の本管を撤去する場合がある。このような場合に、分岐元を封止して、不使用になった導管を撤去する作業を元整理作業と呼んでいる。
【０００３】
この元整理作業としては、分岐継手を本支管から取り外して本支管の分岐部を閉塞する場合もあるが、埋設された分岐継手を掘り起こすための掘削作業等を要するので作業が大掛かりになってしまう。このため、分岐継手を再度利用することも考慮して、分岐継手を本支管に取り付けたままの状態で、この分岐継手内を元整理用シール栓装置で封止する工法が従来より行われている。このような元整理用シール栓装置と元整理シール工法の従来技術（例えば、特許文献１参照）を図５及び図６によって説明する。
【０００４】
図５は、元整理用シール栓装置の全体構造を示す説明図である。同図（ａ）に示すように、元整理用シール栓装置１００は、シール栓体１１０と挿入具１２０とによって構成されている。シール栓体１１０は（同図（ｂ）はその断面図を示している。）、ガス遮断用材料として径方向の変形自由度が大きく、且つ表面が滑り易くて縮径しても抵抗の小さい多孔質のスポンジ材料からなる栓本体１１１を備える。
【０００５】
この栓本体１１１は、前述のスポンジ材料を単体で緩やかなテーパ面１１１ｂを有する円錐台状に成形し、中心に貫通した孔１１２を設け、大径側に変形し易いように凹部１１３を設けて形成されている。そして、この栓本体１１１は、凹部１１３の側から盲板１１４を介して中心の孔１１２にソケット１１５が挿入され、先端で押え板１１６を介してナット１１７により締付けられ、このナット１１７の締付けとソケット１１５の部分の接着によりソケット１１５に一体的に取付けられている。また、ソケット１１５には、端部に方形の係合孔１１８ａを有するアダプター１１８が突設されてる。
【０００６】
一方、挿入具１２０は、センターステム１２１とそのセンターステム１２１の基端側に設けられる挿入ストッパ１２２からなり、センターステム１２１の先端には、アダプタ１１８の係合孔１１８ａに係合する係合部１２１ａが形成されている。
【０００７】
図６は、このような元整理用シール栓装置１００による元整理シール工法を説明する説明図である。先ずは、不使用の導管１３０における分岐継手１３１の近傍に玉孔１３２を開けてガスバック１３３を内部に挿入し、ガスバック１３３を膨張して管内面に密着させることで、そこから下流側へのガス供給を一時的に遮断する（同図（ａ））。この工程は、従来より慣用されるノーブローバッグを用いたノーブロー作業によって行われる。その後ノーブローバッグを取り外し、導管１３０の下流側をガスパージして、導管１３０を分岐継手１３１内の管端から例えば５０ｃｍ位の短い長さに切断する（同図（ｂ）参照）。
【０００８】
そして、切断された導管１３０の開口端１３０ａに元整理用シール栓装置１００をセットし（同図（ｃ））、ガスバッグ１３３を取り除いて、玉孔１３２をプラグ１３４で閉止する（同図（ｄ））。
【０００９】
次に、元整理用シール栓装置１００のシール栓体１１０にセンターステム１２１を係合させて連結し、開口端１３０ａからシール栓体１１０を押し込む。ここで、導管１３０の切断長さＬと挿入ストッパ１２２から先のセンターステム１２１の長さが合致するように設定しておき、挿入ストッパ１２２が導管１３０の開口端１３０ａに当接するまでシール栓体１１０を押し込むと、シール栓体１１０は最終的に分岐継手１３１の分岐開口内に到達する。これによって、シール栓体１１０により分岐継手１３１の分岐開口を確実に遮断することができる（同図（ｅ））。
【００１０】
その後は、導管１３０を分岐継手１３１から撤去して（同図（ｆ））、分岐継手１３１の開放口を閉塞体（ブション）１３５で更に閉塞し、シール栓体１１０に設けられたエアパージ孔を開放して閉塞体１３５内にエアパージを行った後、閉塞体１３５をプラグ止めして元整理作業を完了する（同図（ｇ））。
【００１１】
【特許文献１】
特開平６−５０４８９号公報
【００１２】
【発明が解決しようとする課題】
このような従来技術では、分岐継手内の適正な位置にシール栓体を押し込むためには、挿入ストッパから先のセンターステム長さに応じて導管の長さを正確に測って切断する必要がある。この際に、作業現場の状況として他埋設物が複数埋設されて作業がし辛い状況があり、このような状況下で前述した導管の切断長さの測定に高い精度を要求するとこの測定に手間取ってしまい作業性が悪化するという問題がある。また、前述したような作業状況下では、測定者毎の測り方の違いや測定誤差が生じる可能性があるので、これによってシール栓体の挿入位置にも若干の個人差が生じてしまうという問題がある。
【００１３】
本発明は、このような問題を解消するために提案されたものであって、導管に対する切断長さの測定を行うことなく、誰が作業しても分岐継手における分岐開口内の適正な位置にシール栓体を挿入させることができ、元整理作業における施工性及び施工精度の向上を図ることを目的とするものである。
【００１４】
【課題を解決するための手段】
このような目的を達成するために、本発明による元整理用シール栓装置及びそれを用いた元整理シール工法は、以下の請求項に係る特徴を具備するものである。
【００１５】
請求項１に係る発明は、分岐継手を介して分岐された導管の元整理作業に際して、前記分岐継手内の分岐開口を封止する元整理用シール栓装置において、前記導管に沿って挿入され前記分岐開口を封止するシール栓体を備え、該シール栓体は、その先端側と後端側のいずれか一方又は両方に、前記分岐継手内で機能して該シール栓体を前記分岐開口内の規定位置に止めるストッパ手段を備えることを特徴とする。
【００１６】
請求項２に係る発明は、前述の元整理用シール栓装置を前提として、前記ストッパ手段は、前記シール栓体の後端側で、前記導管軸と垂直な平面内を摺動自在に軸支され、前記導管内面に当接する方向に付勢されて、前記導管の前記分岐継手内の管端を通過した位置で突出して、前記分岐継手内の間隙に係止される薄板状の係止部材を備えることを特徴とする。
【００１７】
請求項３に係る発明は、前述の元整理用シール栓装置を前提として、前記ストッパ手段は、前記シール栓体の先端側から突出して、前記分岐継手内の底面に先端が当接することによって前記シール栓体を前記分岐開口内に止める当接棒を備えることを特徴とする。
【００１８】
請求項４に係る発明は、前述の元整理用シール栓装置を前提として、前記シール栓体は、前記分岐開口の内面に圧接される弾性部材からなる栓本体と、該栓本体の先端側に設けられる支持板と、該支持板に装着されて先端から後端に向けて前記栓本体を貫通してその後端側に突出する支持軸と、前記栓本体の後端面に当接して前記支持軸に沿って摺動して前記支持板との間で前記栓本体を圧縮拡径する圧縮板と、前記圧縮板を前記支持軸に沿って摺動させる圧縮具とを備えることを特徴とする。
【００１９】
請求項５に係る発明は、前述の元整理用シール栓装置を前提として、前記栓本体の側面は、前記圧縮拡径によって前記分岐開口の内面に圧接される円柱面と該円柱面から後方に向けて拡径されるテーパ面とを有することを特徴とする。
【００２０】
請求項６に係る発明は、前述の元整理用シール栓装置を前提として、前記シール栓体の先端側に、該シール栓体が前記分岐開口に止まった状態で前記分岐継手の拡径部に展開するロック手段を設けることを特徴とする。
【００２１】
請求項７に係る発明は、前述の元整理用シール栓装置を前提として、前記ロック手段は、前記シール栓体の先端側に軸支され、その先端が前記シール栓体の前側に倒れるように付勢された展開部材と、該展開部材を展開操作面に当接させて前記シール栓体側に摺動自在に設けられる展開操作盤とを備え、前記展開操作盤をシール栓体側に摺動させることによって、前記展開部材を展開操作することを特徴とする。
【００２２】
請求項８に係る発明は、前述の元整理用シール栓装置を前提として、前記圧縮具を圧縮操作すると共に前記シール栓体の後端側に接続されて該シール栓体を前記分岐開口内に押し込む圧縮操作挿入手段を更に備えることを特徴とする。
【００２３】
請求項９に係る発明は、前述の元整理用シール栓装置を前提として、前記圧縮操作挿入手段を前記導管の中心軸に沿って挿入させると共に前記導管の開口端に支持するセンタリング支持手段を更に備えることを特徴とする。
【００２４】
請求項１０に係る発明は、分岐継手を介して分岐された導管の元整理作業に際して、前記分岐継手内の分岐開口を封止する元整理シール工法において、前記分岐開口を封止するシール栓体の先端側と後端側のいずれか一方又は両方に、前記分岐継手内で機能して該シール栓体を前記分岐開口内の規定位置に止めるストッパ手段を備える元整理用シール栓装置を用い、前記導管の開口端から前記シール栓体を挿入し、該シール栓体が前記分岐開口内で止まるまで前記シール栓体を押し込む工程を有することを特徴とする。
【００２５】
このような特徴を有する各請求項に係る発明は、以下の作用を有するものである。
【００２６】
第１には、本発明の元整理用シール栓装置におけるシール栓体は、その先端側と後端側のいずれか一方又は両方に、分岐継手内で機能してシール栓体を分岐開口内の規定位置に止めるストッパ手段を備えるので、単にシール栓体を導管内に押し込むだけで分岐継手内でストッパ手段が機能してシール栓体を分岐開口の適正な位置に止めることができる。
【００２７】
したがって、従来行っていた導管切断長さの測定が不要になって、施工時間の短縮を図ることが可能になり、また、シール栓体を挿入する作業自体が簡易になるので作業性を著しく向上させることができる。そして、シール栓体の挿入位置が分岐継手内で機能するストッパ手段によって規定されるので、誰が作業しても規定位置にシール栓体を挿入することが可能になり、施工精度を向上させることができる。また、ストッパ手段をシール栓体の先端側と後端側の両方に設けた場合には、何らかの不具合で一方のストッパ手段が機能しない事態が生じても他方のストッパ手段によって前述の作用を得ることができ、より確実な施工精度を確保することができる。
【００２８】
第２には、ストッパ手段として、シール栓体の後端側に薄板状の係止部材を設けているので、この係止部材が分岐継手内の管端の先に形成される間隙に係止され、シール栓体自体は分岐継手の分岐開口内に正確に止まることができる。つまり、この係止部材は、導管軸と垂直な平面内を摺動自在に軸支され、導管内面に当接する方向に付勢されているので、導管の管端を係止部材が通過したところに間隙が有れば、その間隙内に突出して係止されることになる。通常分岐継手内にはこのような間隙が存在するので、これを利用してシール栓体を正確に分岐開口内に位置決めすることができる。
【００２９】
第３には、ストッパ手段として、シール栓体の先端側から当接棒を突出させているので、この当接棒の先端が分岐継手の底面に当接して、シール栓体自体は分岐継手の分岐開口内に正確に止まることができる。これによると、当接棒の長さを適正に設定しておくことで、簡単な構造でシール栓体を正確に分岐開口内に位置決めすることができる。
【００３０】
第４には、前述した作用と併せて、シール栓体を分岐継手の分岐開口内に押し込んだ状態で、シール栓体における栓本体を圧縮拡径する手段を備えているので、弾性部材からなる栓本体を圧縮拡径して分岐開口内面に押圧することが可能になり、高いシール性能を得ることができる。
【００３１】
第５には、前述の作用と併せて、シール栓体における栓本体の側面形態を、円柱面とこの円柱面から後方に向けて拡径するテーパ面からなる形態にしているので、この円柱面を圧縮拡径させて分岐開口を封止することにより、広い圧接面積で均一な気密性が得られると共に、導管を挿入中の気密性は、テーパ面による圧接のみを作用させることで、挿入抵抗を小さくでき円滑な作業進行が可能になる。
【００３２】
第６には、前述の作用と併せて、シール栓体の先端側に、シール栓体が分岐開口に止まった状態で分岐継手の拡径部に展開するロック手段を設けているので、より確実な施工安全性を確保することができる。
【００３３】
第７には、ロック手段として、シール栓体の先端側に、その先端が前側に倒れるように付勢された展開部材を設けているので、シール栓体の挿入時には展開部材は導管内面に接触することが無く、スムースな挿入が可能である。そして、展開操作盤をシール栓体側に摺動させることによって展開部材を展開操作することで確実にシール栓体を分岐開口内にロックすることができる。
【００３４】
第８には、前述の作用を併せて、シール栓体の後端側に設けられる圧縮具を圧縮操作すると共にシール栓体の後端側に接続されこれを分岐開口内に押し込む圧縮操作挿入手段を更に備えることにより、シール栓体を後端側から押し込んで挿入することができ、シール栓体が分岐開口位置に到達したところで圧縮操作を行い栓本体を圧縮拡径することができる。
【００３５】
第９には、圧縮操作挿入手段を導管の中心軸に沿って挿入させると共に導管の開口端に支持するセンタリング支持手段を更に備えるので、このセンタリング支持手段を導管の開口端に装着してシール栓体の挿入作業を行うことで、シール栓体が傾斜して挿入されるなどの不具合が無くなり、スムースで正確な作業が実現できる。また、圧縮操作時にも圧縮操作挿入手段が導管の開口端に支持されるので、一旦位置決めされたシール栓体が移動して位置ズレを起こすことも回避できる。
【００３６】
第１０には、このような元整理シール栓装置を用いた工法によると、単にシール栓体を押し込むだけでシール栓体は分岐継手内の規定位置に止まるので、誰が作業しても分岐継手における分岐開口内の適正な位置にシール栓体を挿入させることができ、元整理作業における施工性及び施工精度の向上を図ることができる。
【００３７】
【発明の実施の形態】
以下、本発明の実施形態を図面を参照して説明する。本発明の実施形態に係る元整理用シール栓装置は、シール栓体を主要な構成とするものであるが、後述する圧縮操作挿入手段及びセンタリング支持手段を付属品として備えるものである。図１は本発明の一実施形態に係る元整理用シール栓装置におけるシール栓体の構造を示す説明図である。
【００３８】
図１（同図（ａ）は正面部分断面図、同図（ｂ）は平面図）において、シール栓体１０は、分岐継手における分岐開口内面に圧接されて分岐開口を封止する栓本体１１を備える。栓本体１１は、ガス遮断用材料として良く用いられ、径方向の変形自由度大きく且つ表面が滑り易く加工された多孔質のスポンジ材料からなる弾性部材であって、その側面は、中央部分が比較的広い領域で円柱面１１ａとなり、その円柱面１１ａから後方に向けて拡径されるテーパ面１１ｂと前方に向けて縮径されるカット面１１ｃとを有している。また、栓本体１１は圧縮拡径変形を容易にするために、内部に空洞１１ｄを備えており、中央部には先端から後端に向けて貫通する貫通孔１１ｅが形成されている。
【００３９】
そして、この栓本体１１はその先端面１１ｆが支持板１２に支持されており、前記の貫通孔１１ｅには支持板１２に装着された支持軸１３が挿通されて、この支持軸１３は後端面１１ｇ側に突出している。
【００４０】
また、栓本体１１の後端面１１ｇには圧縮板１５が当接されている。圧縮板１５の中央孔には支持軸１３が貫通しており、圧縮板１５は支持軸１３に沿って摺動できるようになっている。また、この支持軸１３の後端側にはねじ部１３ａが形成されており、このねじ部１３ａに圧縮具１６が螺合している。したがって、圧縮具１６を締め付けることによって、圧縮板１５が先端側に摺動し、支持板１２と圧縮板１５との間で栓本体１１が圧縮されて周方向に拡径されることになる。なお、支持軸１３内部には、ガス孔１３ｂが通っており、そのガス孔１３ｂはパージピン１３ｃの装着により塞がれている。また、圧縮板１５には、内側にねじ部１７ａが形成された連結部１７が装着されている。
【００４１】
そして、本発明の実施形態においては、シール栓体１０の後端側に第１のストッパ手段となる係止部材１８が設けられている。この係止部材１８は、薄板状の部材であって、一端が圧縮板１５と退避板１８ａとの間に軸１８ｂによって支持され、導管軸と垂直な平面（圧縮板１５と平行な平面）内を摺動自在に軸支されている。また、軸１８ｂにはばね１８ｃが装着されており、係止部材１８を導管内面に当接する方向（同図（ｂ）の矢印方向）に付勢している。
【００４２】
また、係止部材１８には、退避板１８ａに形成された係止孔１８ｅと合致する係止孔１８ｄがそれぞれ設けられており、ばね１８ｃの付勢に抗して係止部材１８を退避板１８ａの下に退避させて係止孔１８ｅ，１８ｄにピンを挿入してピン止めできるようになっている。
【００４３】
更には、本発明の実施形態においては、シール栓体１０の先端側に第２のストッパ手段となる当接棒１９が設けられている。この当接棒１９は、パージピン１３ｃの先端にねじ部１９ａで連結されてシール栓体１０の先端側に突出して設けられている。この当接棒１９の長さは、分岐継手における分岐開口の基部から分岐継手の底面までの距離とほぼ等しくなるように設定されている。また、設定長さの異なる当接棒１９を分岐継手のサイズに応じて交換できるようになっている。図示の実施形態では、第１のストッパ手段と第２のストッパ手段を両方設けた例を示したが、これらのストッパ手段のいずれか一方を除いたものであってもよい。
【００４４】
そして、シール栓体１０の先端側に設けられる支持板１２には、その周辺にロック手段を形成する展開部材１４が装着されている。この展開部材は１４は、支持板１２に沿って四方に突出させた弾性体の板であり、弾性力に抗して図中矢印方向の抵抗を受けると栓本体１１の側面側に湾曲するようになっている。
【００４５】
図２は、シール栓体１０の他の実施形態を示す説明図である（前述の実施形態と同一の箇所には同一の符号を付して重複する説明を一部省略する。同図（ａ）は正面部分断面図、同図（ｂ）は展開部材の取付状態を示す平面図である。）。この実施形態では、ロック手段の形態を変更し、ストッパ手段としては第１のストッパ手段のみを装備するものである。
【００４６】
この実施形態のロック手段は、シール栓体１０の先端側に軸支された展開部材２３とそれを展開操作させる展開操作盤２０とからなる。展開部材２３は、同図（ｂ）に示すように、支持板１２の周辺に一端が軸支され、その先端がシール栓体１０の前側に倒れるようにばね付勢された状態で取り付けられている。また、展開操作盤２０は、操作軸２１の先端に取り付けられ、操作具２２の締め込みによってシール栓体側に摺動するように配備されている。展開操作盤２０にはテーパ状の展開操作面２０ａが設けられ、この展開操作面２０ａに展開部材２３の一端が当接するようになっている。そして、展開操作盤２０をシール栓体側に摺動させることによって、展開操作面２０ａがばね付勢に抗して展開部材２３を押し上げ、展開部材２３を周辺に張り出すように展開するようになっている。
【００４７】
図３は、実施形態における元整理用シール栓装置の使用形態を示す説明図である。同図においては、図１の実施形態に係るシール栓体１０を用いている。シール栓体１０を分岐継手１に接合された分岐導管２内に挿入する際には、圧縮操作挿入手段としての圧縮操作棒３０及び挿入棒３１と、センタリング支持手段としてのセンタリング支持具３２が用いられる。
【００４８】
圧縮操作棒３０は、先端に圧縮具１６に嵌合する嵌合部３０ａが設けられ、基端にハンドル３０ｂが脱着できるようになっている。また、挿入棒３１は、先端外周に連結部１７のねじ部１７ａに螺合するねじ部３１ａが設けられ、内部に圧縮操作棒３０が収容可能な中空部３１ｂが形成された筒状体である。
【００４９】
センタリング支持具３２は、分岐導管２の開口端２ａに装着される支持部３２ａと挿入棒３１を分岐導管２の中心軸に沿って挿入させるための挿通部３２ｂとを備えており、支持部３２ａにはセンタリング支持具３２を開口端２ａに固定するための固定ねじ３２ｃが装備され、挿通部３２ｂには挿入棒３１を挿入完了位置で固定するための固定ねじ３２ｄが装備されている。
【００５０】
このような実施形態に係る元整理用シール栓装置の機能について前述の図１〜３を参照しながら説明する。
【００５１】
ストッパ手段；
第１のストッパ手段を構成する係止部材１８は、退避板１８ａの下に退避された状態で分岐導管２内にシール栓体１０が挿入され、挿入後に退避を解除してばね付勢によって分岐導管２の内面に当接させる。この状態でシール栓体１０を挿入棒３１によって押し込んでいくと、係止部材１８が分岐継手１内の管端２ｂを通過した位置でそこに形成される間隙Ｇ内に係止部材１８が係止されることになる。
【００５２】
すなわち、係止部材１８は薄板状の部材であって、導管軸と垂直な平面内を摺動自在であり、導管内面方向にばね付勢されているので、管端２ｂを通過して導管内面からの拘束が解かれると周辺方向に突出し、間隙Ｇ内に填り込むことになる。この間隙Ｇは通常の分岐継手１内に形成されているものであり、係止部材１８を薄板状の部材にしてこれを導管軸と垂直な平面内で摺動させることで、この間隙Ｇを利用してストッパ手段を分岐継手１内で機能させることができる。
【００５３】
そして、係止部材１８はシール栓体１０の後端面上に装備されているので、係止部材１８が管端２ｂ通過後の間隙Ｇに係止されると、栓本体１１は丁度分岐継手１の分岐開口１ａ内に配置されることになり、単純にシール栓体１０を押し込むだけで分岐開口１ａ内の規定位置に栓本体１１を止めることができる。
【００５４】
また、第２のストッパ手段を構成する当接棒１９は、シール栓体１０の先端側から突出して装備されているので、シール栓体１０を挿入棒３１によって押し込んでいくと、当接棒１９の先端が分岐継手１の底面１ｂに当接することになり、この位置でシール栓体１０を止めることができる。ここで、当接棒１９の長さを分岐開口１ａの基端から分岐継手の底面１ｂまでの距離Ｄとほぼ等しく設定することで、栓本体１１を分岐開口１ａ内の規定位置に止めることができる。したがって、これによっても単純にシール栓体１０を押し込むだけで、分岐開口１ａ内の規定位置に栓本体１１を止めることができる。
【００５５】
このような第１のストッパ手段と第２のストッパ手段は、その一方のみでも充分な機能が得られるが、２つのストッパ手段を合わせて装備することで、シール栓体の位置規定をより確実に行うことが可能になる。
【００５６】
ロック手段；
ロック手段を構成する展開部材１４（図１及び図３参照）について説明すると、分岐導管２内をシール栓体１０が移動する際には、展開部材１４は栓本体１１側に湾曲した状態になり、この展開部材１４が導管内面に弾性抗力によって当接し、弾性抗力が周囲に均等に働いてシール栓体１０の先端位置をセンタリングする作用を有する。そして、シール栓体１０が分岐開口１ａに止まった状態では、導管内面による拘束から解放されるので、展開部材１４は、図３に示すように分岐継手１の拡径部に展開してシール栓体１０をロックする。
【００５７】
また、図２に示した実施形態のロック手段を用いた場合には、シール栓体１０の挿入時には展開部材２３は前側に倒れた状態になっているので、導管内面に接触することが無くスムースなシール栓体１０の挿入が可能である。そして、分岐継手１内の分岐開口１ａにシール栓体１０を止めた後に、必要な工具を用いて操作具２２を締め込み、展開操作盤２０をシール栓体側に摺動させ、展開部材２３を周辺に張り出すように展開させる。これによって、展開部材２３が分岐継手１の拡径部に展開してシール栓体１０をロックする。
【００５８】
封止性能；
更には、シール栓体１０を分岐継手１の分岐開口１ａ内に押し込んだ状態で、シール栓体１０における栓本体１１を圧縮拡径する手段を備えているので、弾性部材からなる栓本体１１を圧縮拡径して分岐開口１ａ内面に押圧させることができ、分岐継手１の分岐開口径に多少の違いがあっても高い封止性能を得ることができる。
【００５９】
また、シール栓体１０における栓本体１１の側面形態を、円柱面１１ａとこの円柱面１１ａから後方に向けて拡径するテーパ面１１ｂからなる形態にしているので、この円柱面１１ａを圧縮拡径させて分岐開口を封止することにより、広い圧接面積で均一な気密性が得られると共に、分岐導管２を挿入中の気密性は、テーパ面１１ｂによる圧接のみを作用させることで、挿入抵抗を小さくでき円滑な作業進行が可能になる。
【００６０】
以下に、前述した実施形態に係るシール栓装置を用いた元整理シール工法の主要な工程を前述の図１〜３を参照しながら説明する。
【００６１】
第１の工程としては、活管状態の導管に対して、分岐継手の近傍で従来技術と同様のガスバッグによるガス遮断を行い、元整理作業対象の導管をガスパージして、ガスバッグに対する下流側の適当な位置で導管を切断する。この際、本実施形態の工法では、導管の切断長さを測定する工程が不要になるので、作業性が良好になる。
【００６２】
第２の工程としては、切断された分岐導管２の開口端２ａから、シール栓体１０を挿入し、導管内のガスバッグを取り除き、その後、シール栓体１０の後端側に圧縮操作棒３０を内装した挿入棒３１を連結して、センタリング支持具３２を導管の開口端に装着する。そして、シール栓体１０が分岐継手１の分岐開口１ａ内で止まるまで、このシール栓体１０を押し込む。この際、本実施形態の工法では、第１又は第２のストッパ手段が分岐継手１内で機能するまで、単純にシール栓体１０を押し込むだけでよいので、作業が簡単であり、誰が作業を行っても確実に規定位置にシール栓体１０を止めることができる。
【００６３】
第３の工程としては、シール栓体１０を分岐開口１ａ内の規定位置に止めた後にシール栓体１０をロック手段によってロックさせる。この際、図１に示した実施形態のロック手段による場合には、特に操作は不要であり、展開部材１４が自身の弾性によって自然と展開してロックがなされる。図２に示した実施形態のロック手段による場合には、前述した操作によって展開操作盤２０を摺動させて展開部材２３を展開させる。
【００６４】
第４の工程としては、圧縮操作棒３０の嵌合部３０ａを圧縮具１６に嵌合させ、圧縮操作棒３０の基端にハンドル３０ｂを装着して、このハンドル３０ｂを回転させて圧縮具１６を締め込む。これによって、支持板１２と圧縮板１５との間で栓本体１１が圧縮拡径され、栓本体１１の側面が分岐開口１ａの内面に圧接される。この際の圧縮操作は、挿入棒３１をセンタリング支持具３２の固定ねじ３２ｄで固定した後に行う。これによって、栓本体１１は後端側に向けて圧縮されることになり、栓本体１１の位置を適正な位置に確保した状態で圧縮拡径を行うことができる。その後、分岐継手１の接合部を解体し、元整理作業対象の分岐導管２を分岐継手１から取り外して撤去する。
【００６５】
図４は、最終的な元整理作業後の分岐開口封止状態を示す説明図である。シール栓体１０から圧縮操作棒３０，挿入棒３１を取り外し、また、シール栓体１０の後端側から第１のストッパ手段を取り除く。そして、分岐継手１の開放部においては、シール部材４１、押さえ輪４２により碗型のブッシング４３を装着する。その後ブッシング４３の開口４３ａから操作してパージピン１３ｃと共に第２のストッパ手段を構成する当接棒１９を取り外し、支持軸内１３内のガス孔１３ｂをシール栓体１０の後端側に開放してシール栓体１０の後端側にもガス圧を生じさせる。そして、ブッシング４３の開口４３ａを栓４４で封止することにより、元整理作業を完了する。
【００６６】
このような工程を有する実施形態の元整理シール工法によると、誰が作業しても分岐継手１における分岐開口１ａ内の適正な位置にシール栓体を挿入させることができ、元整理作業における施工性及び施工精度の向上を図ることができる。更には、前述の工程によって、気密の均一性及び高いシール性能を得ることができる。
【００６７】
【発明の効果】
本発明はこのように構成されるので、元整理対象の導管に対する切断長さの測定を行うことなく、誰が作業しても分岐継手における分岐開口内の適正な位置にシール栓体を挿入させることができ、元整理作業における施工性及び施工精度の向上を図ることができる。
【図面の簡単な説明】
【図１】図１は本発明の一実施形態に係る元整理用シール栓装置におけるシール栓体の構造を示す説明図である。
【図２】シール栓体１０の他の実施形態を示す説明図である。
【図３】実施形態における元整理用シール栓装置の使用形態を示す説明図である。
【図４】実施形態の元整理シール工法による最終的な元整理作業後の分岐開口封止状態を示す説明図である。
【図５】従来の元整理用シール栓装置の全体構造を示す説明図である。
【図６】従来の元整理シール工法を説明する説明図である。
【符号の説明】
１  分岐継手    １ａ  分岐開口部    １ｂ  底面
２    分岐導管    ２ａ  開口端    ２ｂ  管端
１０  シール栓体
１１  栓本体    １１ａ  円柱面    １１ｂ  テーパ面
１１ｃ  カット面    １１ｄ  空洞    １１ｅ  貫通孔
１１ｆ  先端面    １１ｇ  後端面
１２  支持板
１３  支持軸    １３ａ  ねじ部    １３ｂ  ガス孔
１３ｃ  パージピン
１４  展開部材
１５  圧縮板
１６  圧縮具
１７  連結部    １７ａ  ねじ部
１８  係止部材    １８ａ  退避板    １８ｂ  軸
１８ｃ  ばね    １８ｄ，１８ｅ  係止孔
１９  当接棒    １９ａ  ねじ部
２０  展開操作盤    ２０ａ  展開操作面
２１  操作軸
２２  操作具
２３  展開部材
３０  圧縮操作棒    ３０ａ  嵌合部    ３０ｂ  ハンドル
３１  挿入棒    ３１ａ  ねじ部
３２  センタリング支持具    ３２ａ  支持部    ３２ｂ  挿通部
３２ｃ，３２ｄ  固定ねじ
Ｇ  間隙
【図１】
2004316734.tif 000003
【図２】
2004316734.tif 000004
【図３】
2004316734.tif 000005
【図４】
2004316734.tif 000006
【図５】
2004316734.tif 000007
【図６】
2004316734.tif 000008